(57)【要約】【課題】  作業機からユーザに伝わる振動や衝撃を抑制できるハーネスを提供する。【解決手段】  ハーネスは、作業機が取り付け可能な取付具と、保護プレートを備えている。保護プレートは、ハーネスを装着したユーザと、取付具に取り付けられた作業機との間に介在し、作業機がユーザに直接的に接触することを禁止する。保護プレートの周縁の少なくとも一部には、取付具に取り付けられた作業機に向けて突出する突出部が形成されており、当該作業機が、その突出部において保護プレートに当接する。【選択図】図１
2011120515.tif 000002
【特許請求の範囲】
【請求項１】
可搬型の作業機を保持するためにユーザが装着するハーネスであって、
前記作業機が取り付け可能な取付具と、
前記ハーネスを装着したユーザと、前記取付具に取り付けられた作業機との間に介在する保護プレートを備え、
前記保護プレートの周縁の少なくとも一部には、前記取付具に取り付けられた作業機に向けて突出する突出部が形成されており、当該作業機が、その突出部において保護プレートに当接することを特徴とするハーネス。
【請求項２】
前記突出部は、少なくとも、前記保護プレートの両側縁に形成されていることを特徴とする請求項１に記載のハーネス。
【請求項３】
前記保護プレートを正面視したときに、前記保護プレートの突出部が形成された周縁の少なくとも一部が、湾曲していることを特徴とする請求項１又は２に記載のハーネス。
【請求項４】
前記突出部は、少なくとも、前記保護プレートの両側縁に形成されており、
前記保護プレートを正面視したときに、その突出部が形成された各側縁の少なくとも下側部分が、前記保護プレートの中央に向けて湾曲している、
ことを特徴とする請求項１から３のいずれか一項に記載のハーネス。
【請求項５】
前記突出部における断面形状が、前記保護プレートの周縁に沿って変化していることを特徴とする請求項１から４のいずれか一項に記載のハーネス。
【請求項６】
前記突出部は、前記保護プレートの周縁部分が中間部分に対して屈曲する屈曲部であり、その屈曲角度が保護プレートの周縁に沿って変化していることを特徴とする請求項５に記載のハーネス。
【請求項７】
前記突出部は、前記保護プレートの少なくとも周縁部分が湾曲する湾曲部であり、その曲率半径が保護プレートの周縁に沿って変化していることを特徴とする請求項５に記載のハーネス。
【発明の詳細な説明】
【技術分野】
【０００１】
本発明は、可搬型の作業機に用いられるハーネスに関する。
【背景技術】
【０００２】
特許文献１に、刈払機やブロワーといった可搬型の作業機に用いられるハーネスが開示されている。このハーネスは、バックプレートと、バックプレートから伸びる複数のベルトを備え、ユーザが装着可能な構造となっている。このハーネスは、さらに、作業機が取り付け可能な取付具と、保護プレートを備えている。ユーザは、このハーネスを装着し、その取付具に作業機を取り付けることで、作業機を楽に保持することができる。このとき、保護プレートは、ハーネスを装着したユーザと、取付具に取り付けられた作業機との間に介在する。それにより、作業機がユーザに直接的に接触することが防止される。
【先行技術文献】
【特許文献】
【０００３】
【特許文献１】特開２００５−１４３４５３号公報
【発明の概要】
【発明が解決しようとする課題】
【０００４】
ユーザと作業機の間に保護プレートが介在することで、作業機からユーザに伝わる振動や衝撃がある程度は緩和される。しかしながら、ユーザと作業機の間に保護プレートを単に配置するだけでは、作業機からユーザに伝わる振動や衝撃を十分に抑制することができない。そこで、特許文献１のハーネスでは、保護プレートのユーザに面する裏面にパッドを設け、作業機からユーザに伝わる振動や衝撃を低減させている。特許文献１の構成によると、一定の効果は得られるものの、保護プレートの構造を複雑なものにしてしまう。そこで、保護プレートにパッドのような緩衝部品を付加することなく、作業機からユーザに伝わる振動や衝撃を抑制できるハーネスが必要とされている。
【課題を解決するための手段】
【０００５】
本発明は、可搬型の作業機を保持するためにユーザが装着するハーネスを提供する。このハーネスは、作業機が取り付け可能な取付具と、保護プレートを備えている。ユーザは、このハーネスを装着し、その取付具に作業機用を取り付けることで、作業機を楽に保持することができる。このとき、保護プレートは、ハーネスを装着したユーザと、取付具に取り付けられた作業機との間に介在し、作業機がユーザに直接的に接触することを禁止する。
【０００６】
保護プレートには、その周縁の少なくとも一部に沿って、取付具に取り付けられた作業機に向けて突出する突出部が形成されている。この構造によると、作業機は、保護プレートの周縁に形成された突出部に当接し、保護プレートの中間部分には当接しない。一方、ユーザは、作業機とは反対側から、保護プレートの中間部分に当接する。即ち、この保護プレートでは、作業機が当接する範囲と、ユーザが当接する範囲が、互いに相違する。それにより、作業機から保護プレートを介してユーザに伝わる振動や衝撃が、顕著に緩和される。さらに、保護プレートは、作業機からの振動や衝撃に応じて受動的に撓むことができ、その振動や衝撃を吸収することができる。即ち、保護プレートは、板ばねのように機能する。この保護プレートによれば、パッドのような緩衝部品を付加することなく、作業機からユーザに伝わる振動や衝撃を抑制することができる。
【０００７】
前記した突出部は、少なくとも、保護プレートの両側縁に形成されていることが好ましい。この構造によると、作業機が保護プレートの両側縁に当接することになり、その中間部においてユーザに当接する保護プレートが、作業機からの振動や衝撃に応じて、比較的に大きく撓むことができる。なお、突出部は、保護プレートの両側縁のみでなく、保護プレートの上縁及び下縁にも併せて形成してもよい。
【０００８】
前記した保護プレートを正面視したときに、保護プレートの突出部が形成された周縁の少なくとも一部が、湾曲していることが好ましい。即ち、保護プレートの周縁の少なくとも一部が湾曲しており、その湾曲する範囲に前記した突出部の少なくとも一部が形成されていることが好ましい。この構成によると、保護プレートの強度を高めることができ、比較的に強い振動や衝撃も十分に吸収することができる。また、保護プレートに必要とされる強度を維持しつつ、保護プレートの板厚や重量を低減することができる。
【０００９】
前記した突出部が保護プレートの両側縁に形成されている場合、その保護プレートを正面視したときに、その突出部が形成された各側縁の少なくとも下側部分が、保護プレートの中央に向けて湾曲していることが好ましい。この構造によると、保護プレートの強度を高めることができるとともに、保護プレートがユーザやその衣服に引っ掛かることが防止される。
【００１０】
前記した突出部における断面形状が、保護プレートの周縁に沿って変化していることが好ましい。この構造によると、突出部が一様の断面形状を有する場合よりも、保護プレートの強度を高めることができる。
【００１１】
前記した突出部は、保護プレートが屈曲する屈曲部であってもよい。その場合、その屈曲角度は、保護プレートの周縁に沿って変化していることが好ましい。この構造によると、突出部における断面形状が保護プレートの周縁に沿って変化し、保護プレートの強度を高めることができる。
【００１２】
前記した突出部は、保護プレートが湾曲する湾曲部であってもよい。その場合、その曲率半径は、保護プレートの周縁に沿って変化していることが好ましい。この構造によると、突出部における断面形状が保護プレートの周縁に沿って変化し、保護プレートの強度を高めることができる。
【発明の効果】
【００１３】
本発明のハーネスによれば、作業機からユーザに伝わる振動や衝撃を、十分に抑制することができる。保護プレートにパッドような緩衝部品を必ずしも付加する必要がないので、保護プレートの構造が複雑になることがなく、その製造を容易に行うことができる。
【図面の簡単な説明】
【００１４】
【図１】実施例のハーネスの斜視図。
【図２】可搬型作業機の一種である刈払機の一例を示す図。
【図３】保護プレートの正面図。
【図４】保護プレートの右側面図。
【図５】保護プレートの斜視図。
【図６】図３のＶＩ−ＶＩ線断面図。
【図７】図３のＶＩＩ−ＶＩＩ線断面図。
【図８】ユーザと刈払機の間に介在する保護プレートを示す断面図。
【図９】他の実施例の保護プレートを示す断面図。
【図１０】他の実施例の保護プレートを示す断面図。
【図１１】他の実施例の保護プレートを示す断面図。
【発明を実施するための形態】
【００１５】
図面を参照して、本発明の実施例であるハーネス１０について説明する。図１は、ハーネス１０の全体を示す斜視図である。ハーネス１０は、図２に示す刈払機１００を保持するために、ユーザが装着する装着具である。なお、図２は刈払機１００の一例を示すものであり、ハーネス１０の使用が図２に示す刈払機１００に限定されるものではない。さらに、ハーネス１０は、刈払機１００に限られず、例えばブロアーといった、他の種類の可搬型の作業機にも用いることができる。
【００１６】
図１に示すように、ハーネス１０は、バックプレート２０と、複数のベルト２２Ｌ、２２Ｒ、２６Ｌ、２６Ｒを備えている。バックプレート２０は、ユーザ（図示省略）がハーネス１０を装着した時に、ユーザの背部に配される。バックプレートは、一例ではあるが、合成樹脂材料で形成されている。
【００１７】
複数のベルト２２Ｌ、２２Ｒ、２６Ｌ、２６Ｒは、左肩ベルト２２Ｌと、右肩ベルト２２Ｒと、左腰ベルト２６Ｌと、右腰ベルト２６Ｒを有している。左肩ベルト２２Ｌと右肩ベルト２２Ｒは、ユーザの左肩と右肩にそれぞれ配される。左肩ベルト２２Ｌと右肩ベルト２２Ｒの各々には、肩パッド２４が被せられている。左腰ベルト２６Ｌと右腰ベルト２６Ｒは、ユーザの左腰と右腰にそれぞれ配される。各々のベルト２２Ｌ、２２Ｒ、２６Ｌ、２６Ｒは、合成繊維によって形成されている。各々のベルト２２Ｌ、２２Ｒ、２６Ｌ、２６Ｒの一端は、バックプレート２０に固定されており、各々のベルト２２Ｌ、２２Ｒ、２６Ｌ、２６Ｒの他端には、バックル２８が設けられている。バックル２８は、互いに着脱可能なソケット２８Ｌとプラグ２８Ｒを有しており、ソケット２８Ｌには左肩ベルト２２Ｌと左腰ベルト２６Ｌが固定され、プラグ２８Ｒには右肩ベルト２２Ｒと右腰ベルト２６Ｒが固定されている。バックル２８により、各々のベルト２２Ｌ、２２Ｒ、２６Ｌ、２６Ｒの他端は、ユーザの前面において互いに結合される。
【００１８】
ハーネス１０は、さらに、取付具３０と、保護プレート４０を備えている。取付具３０と保護プレート４０は、右腰ベルト２６Ｒに設けられている。ユーザがハーネス１０を装着すると、取付具３０と保護プレート４０はユーザの右大腿の外側面に配置される。なお、右腰ベルト２６Ｒは、左腰ベルト２６Ｌよりも長く、取付具３０と保護プレート４０がユーザに対して移動できるようになっている。
【００１９】
取付具３０は、刈払機１００等の作業機を取り付けるための金具である。ここでいう金具は、金属製のものに限定されず、樹脂といった他の材料で形成されたものも含む。本実施例では、一例ではあるが、取付具３０にスナップが採用されており、作業機が着脱可能となっている。図１に示すように、刈払機１００にハーネス１０を使用する場合は、取付具３０に刈払機１００の操作棹１３０を取り付ける。なお、図２に示すように、刈払機１００では、操作棹１３０の前端に刈刃ユニット１２０が設けられており、操作棹１３０の後端に本体ユニット１４０が設けられており、操作棹１３０の中間にハンドル１３４が設けられている。ユーザは、ハーネス１０を装着し、取付具３０に操作棹１３０を取り付け、ハンドル１３４を把持することで、刈払機１００を楽に、かつ、安定して保持することができる。
【００２０】
保護プレート４０は、樹脂材料で形成された板状の部材である。本実施例の保護プレート４０は、一例ではあるが、高密度ポリエチレン（ＨＤＰＥ）で形成されており、適度な強度と可撓性（弾性）を有している。なお、保護プレート４０は、他の樹脂材料や金属材料など、他の可撓性（弾性）を有する材料で形成することもできる。保護プレート４０を形成する材料は、特定のものに限定されない。保護プレート４０は、取付具３０に取り付けられた刈払機１００（又は他の可搬型作業機）と、ハーネス１０を装着したユーザの間に介在し、刈払機１００がユーザに直接的に接触することを防止する。それにより、刈払機１００からユーザに伝わる振動や衝撃が緩和される。
【００２１】
以上、ハーネス１０の全体的な構成を説明した。以下では、保護プレート４０の特徴的な構造について詳細に説明する。
図１に示すように、保護プレート４０は、全体に亘って平坦な板材ではなく、その両側縁４０ａ、４０ｂに沿って、突出部４４が形成されている。突出部４４は、取付具３０に取り付けられた刈払機１００に向けて突出している。それにより、刈払機１００の操作棹１３０は、その突出部４４において保護プレート４０に当接している。ここで、保護プレート４０の両側縁４０ａ、４０ｂとは、ユーザがハーネス１０を装着した時の保護プレート１０の姿勢を基準として、保護プレート４０の周縁のなかで水平方向の両側に位置する部分を意味する。
【００２２】
図３は保護プレート４０の正面図を示し、図４は保護プレート４０の右側面図を示し、図５は、保護プレート４０の斜視図を示している。先に説明したように、保護プレート４０には、その両側縁４０ａ、４０ｂに沿って、突出部４４が形成されている。一方、両側の突出部４４の間に位置する中間部分４２は、平坦部分となっている。その平坦な中間部分４２には、取付具３０を保持するフック形状部４３が形成されている。
【００２３】
図３に示すように、保護プレート４０を正面視すると、保護プレート４０の各側縁４０ａ、４０ｂは湾曲しており、その湾曲する各側縁４０ａ、４０ｂに、前記した突出部４４が形成されている。この構造によると、直線状の周縁に突出部４４を形成した場合よりも、保護プレート４０の強度を高めることができる。また、保護プレート４０の各側縁４０ａ、４０ｂの下側部分Ｂは、保護プレート４０の中央に向けて湾曲している。この構造によると、保護プレート４０がユーザやその衣服に引っ掛かることが防止される。
【００２４】
図６、図７に示すように、本実施例の突出部４４は、保護プレート４０の側縁４０ａ、４０ｂを含む側縁部分が、中間部分４２に対して屈曲した屈曲部となっている。ここで、図６に示す断面と、図７に示す断面の間では、突出部４４の屈曲する角度Ｃ１、Ｃ２が異なっており、角度Ｃ１は角度Ｃ２よりも大きくなっている。即ち、突出部４４の屈曲角度は、側縁４０ａ、４０ｂに沿って変化しており、その値は下方に行くほど大きくなっている。その結果、突出部４４の断面形状は、側縁４０ａ、４０ｂに沿って連続的に変化している。この構造によると、突出部４４が一様の断面形状を有する場合よりも、保護プレート４０の強度を高めることができる。保護プレート４０の強度を高めることで、必要な強度や可撓性（弾性）を維持しつつ、保護プレート４０の板厚や重量を低減させることができる。
【００２５】
また、図３に示すように、湾曲する保護プレート４０の側縁４０ａ、４０ｂに沿うように、突出部４４と中間部分４２との境界に位置する屈曲線４６も湾曲している。このように屈曲線４６が湾曲していると、屈曲線４６が直線的に伸びる場合よりも、保護プレート４０の強度を高めることができる。
【００２６】
図８は、ユーザ２００と刈払機１００の間に介在する保護プレート４０を示している（断面図）。図８に示すように、刈払機１００は、保護プレート４０の両側縁４０ａ、４０ｂに形成された突出部４４に当接し、保護プレート４０の中間部分４２には当接しない。一方、ユーザ２００は、刈払機１００とは反対側から、保護プレート４０の中間部分４２に当接する。即ち、本実施例の保護プレート４０では、刈払機１００が当接する範囲と、ユーザ２００が当接する範囲が、互いに相違する。それにより、刈払機１００から保護プレート４０を介してユーザ２００に伝わる振動や衝撃が、顕著に緩和される。さらに、保護プレート４０は、刈払機１００からの振動や衝撃に応じて受動的に撓むことで、その振動や衝撃を吸収することができることができる。即ち、保護プレート４０は、刈払機１００とユーザ２００の間で、板ばねのように機能することができる。この保護プレート４０によると、パッドのような緩衝部品を付加することなく、刈払機１００からの振動や衝撃を吸収し、その振動や衝撃がユーザ２００に伝わることを抑制することができる。ただし、保護プレート４０には、必要に応じて、付加的にパッドのような緩衝部品を設けてもよい。この場合、上記した保護プレート４０の形状と緩衝部品の両者によって、刈払機１００からの振動や衝撃が吸収される。
【００２７】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００２８】
例えば、図９に示すように、保護プレート４０の突出部４４は、保護プレート４０が湾曲する湾曲部であってもよい。この場合、その曲率半径Ｒを、各側縁４０ａ、４０ｂに沿って変化させることが好ましい。この構造によると、突出部４４における断面形状が各側縁４０ａ、４０ｂに沿って変化し、保護プレート４０の強度を高めることができる。また、図１０に示すように、保護プレート４０の全体を湾曲させてもよい。この場合、中間部分４２の曲率半径Ｒ１と、突出部（側縁部分）４４の曲率半径Ｒ２を、異なる値に設計することで、保護プレート４０の撓みに対する強度を調整することができる。
【００２９】
加えて、保護プレート４０の突出部４４は、保護プレート４０を屈曲あるいは湾曲させたものに限られず、図１１に示すように、保護プレート４０の板厚を部分的に厚くすることで、突出部４４を形成することもできる。さらに、突出部４４は、保護プレート４０に一体に成形してもよいし、別の部品を保護プレート４０に取り付けて形成してもよい。さらに、突出部４４は、保護プレート４０の両側縁４０ａ、４０ｂに限られず、保護プレート４０の一部又は全体に形成することができる。この場合、刈払機１００が保護プレート４０の中間部分４２に接触することが禁止されるように、突出部４４を設ける範囲を設計するとよい。
【００３０】
本明細書または図面に説明した技術要素は、単独であるいは各種の組合せによって技術的有用性を発揮するものであり、出願時の請求項に記載の組合せに限定されるものではない。本明細書または図面に例示した技術は複数の目的を同時に達成するものであり、そのうちの一つの目的を達成すること自体で技術的有用性を持つものである。
【符号の説明】
【００３１】
１０：ハーネス
２０：バックプレート
３０：取付具
４０：保護プレート
４０ａ、４０ｂ：保護プレートの側縁
４４：保護プレートの突出部
１００：刈払機
２００：ユーザ
【図１】
2011120515.tif 000003
【図２】
2011120515.tif 000004
【図３】
2011120515.tif 000005
【図４】
2011120515.tif 000006
【図５】
2011120515.tif 000007
【図６】
2011120515.tif 000008
【図７】
2011120515.tif 000009
【図８】
2011120515.tif 000010
【図９】
2011120515.tif 000011
【図１０】
2011120515.tif 000012
【図１１】
2011120515.tif 000013